(57)【要約】  電源システムは、主蓄電装置（ＢＡ）と複数の副蓄電装置（ＢＢ１，ＢＢ２）とを含む。コンバータ（１２Ｂ）は、副蓄電装置（ＢＢ１，ＢＢ２）の選択された一方と接続されて、この選択副蓄電装置と給電ライン（ＰＬ２）との間で双方向の電圧変換を行なう。使用中の選択副蓄電装置のＳＯＣ低下に応答して、副蓄電装置の切換要求が発生されて、リレー（ＳＲ１，ＳＲ１Ｇ，ＳＲ２，ＳＲ２Ｇ）の切換処理が実行される。この際に、エンジン４の始動処理または停止処理の実行中には、ＳＯＣ低下が検出されても切換要求の発生が待機される。同様に、副蓄電装置の切換処理中に、エンジン（４）の始動要求または停止要求が発生されても、始動処理または停止処理の開始は待機される。
2010050039.tif 000002
【特許請求の範囲】
【請求項１】
車両駆動パワーを発生するモータ（ＭＧ２）と、
前記モータとは独立に車両駆動パワーを出力可能に構成された内燃機関（４）と、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）と、
ハイブリッド車両の全体要求パワー（Ｐｔｔｌ）を、前記モータの出力パワーと、前記内燃機関の出力パワーとに分配する走行制御部（２５０）とを備え、
前記走行制御部は、前記複数の副蓄電装置と前記第２の電圧変換器との間の接続切換処理中には、停止状態の前記内燃機関の始動処理および作動状態の前記内燃機関の停止処理を禁止する、ハイブリッド車両。
【請求項２】
前記内燃機関（４）の出力変化により回転速度が変化される回転要素（ＭＧ１）と、
前記回転要素の過回転を抑制するために前記内燃機関の始動要求および停止要求の一方を生成する保護制御部（２１５）とをさらに備え、
前記走行制御部（２５０）は、前記保護制御部によって前記始動要求または前記停止要求が生成されたときには、前記接続切換処理中であるか否かにかかわらず前記内燃機関の前記始動処理または前記停止処理を許可する、請求の範囲第１項に記載のハイブリッド車両。
【請求項３】
前記切換制御装置（３０）は、
使用中の前記選択副蓄電装置の残存容量（ＳＯＣ）の充電状態に基づいて、前記選択副蓄電装置の切換要求の発生要否を判定するように構成された切換判定部（１００）と、
前記内燃機関が前記始動処理中または前記停止処理中であるときに、前記切換要求を発生しないように前記切換判定部に指示するように構成された切換禁止部（２１０）とを含む、請求の範囲第１項に記載のハイブリッド車両。
【請求項４】
車両駆動パワーを発生するモータ（ＭＧ２）および前記モータとは独立に車両駆動パワーを出力可能に構成された内燃機関（４）を搭載したハイブリッド車両（１）であって、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）とを備え、
前記切換制御装置は、
使用中の前記選択副蓄電装置の残存容量（ＳＯＣ）の充電状態に基づいて、前記選択副蓄電装置の切換要求の発生要否を判定する切換判定部（１００）と、
前記内燃機関が始動処理中または停止処理中であるときに、前記選択副蓄電装置の切換要求を発生しないように前記切換判定部に指示する切換禁止部（２１０）とを含む、ハイブリッド車両。
【請求項５】
前記切換制御装置は、
前記切換要求が発生されたときに、前記給電ラインの電圧（ＶＨ）を、前記主蓄電装置の出力電圧および切換後に前記第２の電圧変換器と接続される副蓄電装置の出力電圧よりも高い第１の電圧（Ｖ１）とするように前記第１の電圧変換器に指示するように構成された昇圧指示部（１１０）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるように構成された第１の電力制限部（１２０）と、
前記第１の電力制限部によって前記入出力電力上限値が零に設定されたときに、前記複数の副蓄電装置および前記第２の電圧変換器の間の接続を切換えるように構成された接続切換制御部（１４０）と、
前記接続切換制御部により複数の副蓄電装置および前記第２の電圧変換器の間の接続が切換えられた後に、前記第２の電圧変換器と新たに接続された副蓄電装置の充電状態に対応する値まで、前記入出力電力上限値を徐々に上昇させるように構成された第２の電力制限部（１２０）とをさらに含む、請求の範囲第３項または第４項に記載のハイブリッド車両。
【請求項６】
ハイブリッド車両の制御方法であって、
前記ハイブリッド車両は、
車両駆動パワーを発生するモータ（ＭＧ２）と、
前記モータとは独立に車両駆動パワーを出力可能に構成された内燃機関（４）と、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択された副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）と、
前記ハイブリッド車両の全体要求パワー（Ｐｔｔｌ）を、前記モータの出力パワーと、前記内燃機関の出力パワーとに分配する走行制御部（２５０）とを備え、
前記制御方法は、
前記複数の副蓄電装置と前記第２の電圧変換器との間の接続切換処理中であるか否かを判定するステップ（Ｓ７００）と、
前記接続切換処理中において、停止状態の前記内燃機関の始動処理および作動状態の前記内燃機関の停止処理を禁止するステップ（Ｓ８２０）とを備える、ハイブリッド車両の制御方法。
【請求項７】
前記ハイブリッド車両は、
前記内燃機関（４）の出力変化により回転速度が変化される回転要素（ＭＧ１）と、
前記回転要素の過回転を抑制するために前記内燃機関の始動要求および停止要求の一方を生成する保護制御部（２１５）とをさらに備え、
前記制御方法は、
前記保護制御部によって前記始動要求または前記停止要求が生成されたときには、前記接続切換処理中であるか否かにかかわらず前記内燃機関の前記始動処理または前記停止処理を許可するステップ（Ｓ８１０）をさらに備える、請求の範囲第６項に記載のハイブリッド車両の制御方法。
【請求項８】
使用中の選択副蓄電装置の残存容量（ＳＯＣ）の充電状態に基づいて、前記選択副蓄電装置の切換要求の発生要否を判定するステップ（Ｓ１１０）と、
前記内燃機関が前記始動処理中または前記停止処理中であるときに、前記選択副蓄電装置の充電状態にかかわらず前記切換要求を発生しないように指示するステップ（Ｓ１２０）とをさらに備える、請求の範囲第６項に記載のハイブリッド車両の制御方法。
【請求項９】
ハイブリッド車両の制御方法であって、
前記ハイブリッド車両は、
車両駆動パワーを発生するモータ（ＭＧ２）と、
前記モータとは独立に車両駆動パワーを出力可能に構成された内燃機関（４）と、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択された副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）と、
前記制御方法は、
使用中の選択副蓄電装置の残存容量（ＳＯＣ）の充電状態に基づいて、前記選択副蓄電装置の切換要求の発生要否を判定するステップ（Ｓ１１０）と、
前記内燃機関が始動処理中または停止処理中であるときに、前記選択副蓄電装置の充電状態にかかわらず前記切換要求を発生しないように指示するステップ（Ｓ１２０）とを備える、ハイブリッド車両の制御方法。
【請求項１０】
前記切換要求が発生されたときに、前記給電ラインの電圧（ＶＨ）を、前記主蓄電装置の出力電圧および切換後に前記第２の電圧変換器と接続される副蓄電装置の出力電圧よりも高い第１の電圧（Ｖ１）とするように前記第１の電圧変換器に指示するステップ（Ｓ２００）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるステップ（Ｓ３２０〜Ｓ３４０）と、
前記減少させるステップによって前記入出力電力上限値が零に設定されたときに、前記複数の副蓄電装置と前記第２の電圧変換器との間の接続を切換えるステップ（Ｓ４００）と、
前記切換えるステップにより複数の副蓄電装置と前記第２の電圧変換器との間の接続が切換えられた後に、前記第２の電圧変換器と新たに接続された副蓄電装置の充電状態に対応する値まで、前記入出力電力上限値を徐々に上昇させるステップ（Ｓ５２０〜Ｓ５４０）とをさらに備える、請求の範囲第８項または第９項に記載のハイブリッド車両の制御方法。
【発明の詳細な説明】
【技術分野】
【０００１】
この発明は、ハイブリッド車両およびその制御方法に関し、より特定的には、車両走行用電源として、主電源装置および複数の副蓄電装置を搭載するハイブリッド車両の制御に関する。
【背景技術】
【０００２】
近年、環境にやさしい車両として、電気自動車、ハイブリッド自動車および燃料電池自動車等の電動車両が開発され実用化されている。これらの電動車両には、車両駆動力を発生するモータおよび、蓄電装置を含んで構成されたモータ駆動電力を供給するための電源システムが搭載されている。ハイブリッド自動車は、内燃機関の出力エネルギを直接的あるいは間接的に用いることによっても車両走行可能に構成される。【０００３】
特に、ハイブリッド自動車の車載蓄電装置を車両外部の電源（以下、「外部電源」とも称する）によって充電する構成が提案されていることもあり、これらの電動車両では、車載蓄電装置の蓄積電力によって走行可能な距離を長くすることが求められている。なお、以下では、外部電源による車載蓄電装置の充電について、単に「外部充電」とも称する。【０００４】
たとえば、特開２００８−１０９８４０号公報（特許文献１）および特開２００３−２０９９６９号公報（特許文献２）には、複数個の蓄電装置（バッテリ）を並列接続した電源システムが記載されている。特許文献１および２に記載の電源システムでは、蓄電装置（バッテリ）ごとに充放電調整機構としての電圧変換器（コンバータ）が設けられている。これに対して、特開２００８−１６７６２０号公報（特許文献３）には、主蓄電装置と複数の副蓄電装置とを搭載した車両において、主蓄電装置に対応するコンバータと、複数の副蓄電装置により共有されるコンバータとを設ける電源装置の構成が記載されている。この構成によれば、装置の要素の数を抑制しつつ蓄電可能なエネルギ量を増やすことができる。
【特許文献１】特開２００８−１０９８４０号公報
【特許文献２】特開２００３−２０９９６９号公報
【特許文献３】特開２００８−１６７６２０号公報
【発明の開示】
【発明が解決しようとする課題】
【０００５】
特許文献３に記載された構成では、複数の副蓄電装置のうちの１つが選択的にコンバータと接続されて、主蓄電装置および選択された副蓄電装置によって、車両駆動用モータの駆動電力が供給される。このような電源システムでは、使用中の副蓄電装置のＳＯＣ（State  of  Charge）が低下すると、新たな副蓄電装置をコンバータと接続するようにして、複数個の副蓄電装置を順次使用することによって、蓄電エネルギによる走行距離（ＥＶ（Electric  Vehicle）走行距離）を延ばしている。ただし、このような構成では、副蓄電装置の接続切換時には、主蓄電装置の電力のみが使用可能となるため、電源システム全体として入出力可能な電力が低下することになる。【０００６】
また、ハイブリッド車両では、走行状態に応じて、モータ出力のみによる走行と、モータ出力およびエンジン出力の両方による走行とが選択される。このため、エンジンは、車両走行中の始動処理または停止処理を伴って間欠的に運転される。【０００７】
ここで、エンジンの始動および停止の際には、電源システムに対する充放電要求が発生する。具体的には、エンジンの始動時には、エンジンをクランキングするためのモータ電力が電源システムから出力される。また、エンジン停止時には、振動抑制のために、フューエルカット後のモータ駆動による減速度制御や停止直前での回生ブレーキ使用のためのモータ電力が電源システムに対して入出力される。【０００８】
したがって、電源システムでの副蓄電装置の接続切換と、エンジンの始動または停止とが同時に実行されると、発生可能な車両駆動パワーが変化することによって、車両運転性（ドライバビリティ）に影響が生じる可能性がある。【０００９】
この発明は、このような問題点を解決するためになされたものであって、この発明の目的は、主蓄電装置および副蓄電装置を備え、かつ複数の副蓄電装置によって電圧変換器（コンバータ）を共有する電源構成のハイブリッド車両において、副蓄電装置の切換処理が車両運転性（ドライバビリティ）に悪影響を与えるのを防止することである。
【課題を解決するための手段】
【００１０】
この発明によれば、ハイブリッド車両は、車両駆動パワーを発生するモータと、内燃機関と、主蓄電装置と、給電ラインと、第１の電圧変換器と、互いに並列に設けられた複数の副蓄電装置と、第２の電圧変換器と、接続部と、切換制御装置と、走行制御部とを備える。内燃機関は、モータとは独立に車両駆動パワーを出力可能に構成される。給電ラインは、モータを駆動制御するインバータに給電を行うように構成される。第１の電圧変換器は、給電ラインと主蓄電装置との間に設けられ、双方向の電圧変換を行うように構成される。第２の電圧変換器は、複数の副蓄電装置と給電ラインとの間に設けられ、複数の副蓄電装置のうちの１つと給電ラインの間で双方向の電圧変換を行うように構成される。接続部は、複数の副蓄電装置と第２の電圧変換器との間に設けられ、複数の副蓄電装置のうちの選択副蓄電装置を選択的に第２の電圧変換器と接続するように構成される。切換制御装置は、複数の副蓄電装置と第２の電圧変換器との間の選択的な接続を制御するように構成される。走行制御部は、ハイブリッド車両の全体要求パワーを、モータの出力パワーと、内燃機関の出力パワーとに分配するように構成される。そして、走行制御部は、複数の副蓄電装置と第２の電圧変換器との間の接続切換処理中には、停止状態の内燃機関の始動処理および作動状態の内燃機関の停止処理を禁止する。【００１１】
あるいは、この発明によれば、ハイブリッド車両の制御方法であって、ハイブリッド車両は、上述した、モータ、内燃機関、主蓄電装置、給電ライン、第１の電圧変換器、複数の副蓄電装置、第２の電圧変換器、接続部、切換制御装置、および、走行制御部を備える。そして、制御方法は、複数の副蓄電装置と第２の電圧変換器との間の接続切換処理中であるか否かを判定するステップと、接続切換処理中において、停止状態の内燃機関の始動処理および作動状態の内燃機関の停止処理を禁止するステップとを備える。【００１２】
上記ハイブリッド車両およびその制御方法によれば、副蓄電装置の接続切換処理中には、内燃機関の始動処理および停止処理の実行を禁止するので、エンジンの始動・停止に伴う電力入出力の発生を防止できる。この結果、接続切換処理中に、エンジンの始動・停止処理に起因して、出力可能な車両駆動パワーが変動することを回避できるので、当該接続切換処理が車両運転性（ドライバビリティ）に悪影響を与えることを防止できる。【００１３】
好ましくは、ハイブリッド車両は、内燃機関の出力変化により回転速度が変化される回転要素と、回転要素の過回転を抑制するために内燃機関の始動要求および停止要求の一方を生成する保護制御部とをさらに備える。そして、走行制御部は、保護制御部によって始動要求または停止要求が生成されたときには、接続切換処理中であるか否かにかかわらず内燃機関の始動処理または停止処理を許可する。あるいは、制御方法は、保護制御部によって始動要求または停止要求が生成されたときには、接続切換処理中であるか否かにかかわらず内燃機関の始動処理または停止処理を許可するステップをさらに備える。【００１４】
このようにすると、部品保護の目的で内燃機関の始動要求あるいは停止要求が発生されたときには、車両運転性の確保に優先してエンジンの始動・停止を実現することにより、機器保護を確実に図ることが可能となる。【００１５】
好ましくは、切換制御装置は、切換判定部と、切換禁止部とを含む。切換判定部は、使用中の選択副蓄電装置の残存容量（ＳＯＣ）の充電状態に基づいて、選択副蓄電装置の切換要求の発生要否を判定するように構成される。切換禁止部は、内燃機関が始動処理中または停止処理中であるときに、切換要求を発生しないように切換判定部に指示するように構成される。あるいは、制御方法は、複数の副蓄電装置と第２の電圧変換器との間の接続切換処理中であるか否かを判定するステップと、接続切換処理中において、停止状態の内燃機関の始動処理および作動状態の内燃機関の停止処理を禁止するステップとを備える。【００１６】
このようにすると、内燃機関の始動処理または停止処理の実行中には、副蓄電装置の接続切換処理の開始を禁止することができるので、さらに確実に、内燃機関の始動／停止処理と副蓄電装置の接続切換処理とが同時に実行されるのを防止できる。【００１７】
この発明の他の局面では、ハイブリッド車両は、車両駆動パワーを発生するモータと、内燃機関と、主蓄電装置と、給電ラインと、第１の電圧変換器と、互いに並列に設けられた複数の副蓄電装置と、第２の電圧変換器と、接続部と、切換制御装置とを備える。内燃機関は、モータとは独立に車両駆動パワーを出力可能に構成される。給電ラインは、モータを駆動制御するインバータに給電を行うように構成される。第１の電圧変換器は、給電ラインと主蓄電装置との間に設けられ、双方向の電圧変換を行うように構成される。第２の電圧変換器は、複数の副蓄電装置と給電ラインとの間に設けられ、複数の副蓄電装置のうちの１つと給電ラインの間で双方向の電圧変換を行うように構成される。接続部は、複数の副蓄電装置と第２の電圧変換器との間に設けられ、複数の副蓄電装置のうちの選択副蓄電装置を選択的に第２の電圧変換器と接続するように構成される。切換制御装置は、複数の副蓄電装置と第２の電圧変換器との間の選択的な接続を制御するように構成される。そして、切換制御装置は、使用中の選択副蓄電装置の残存容量（ＳＯＣ）の充電状態に基づいて、選択副蓄電装置の切換要求の発生要否を判定する切換判定部と、内燃機関が始動処理中または停止処理中であるときに、選択副蓄電装置の切換要求を発生しないように切換判定部に指示する切換禁止部とを含む。【００１８】
あるいは、この発明の他の局面では、ハイブリッド車両の制御方法であって、ハイブリッド車両は、上述した、モータ、内燃機関、主蓄電装置、給電ライン、第１の電圧変換器、複数の副蓄電装置、第２の電圧変換器、接続部、および、切換制御装置を備える。そして、制御方法は、複数の副蓄電装置と第２の電圧変換器との間の接続切換処理中であるか否かを判定するステップと、接続切換処理中において、停止状態の内燃機関の始動処理および作動状態の内燃機関の停止処理を禁止するステップとを備える。【００１９】
上記ハイブリッド車両およびその制御方法によれば、内燃機関の始動処理または停止処理の実行中には、副蓄電装置の接続切換処理の開始を禁止する。これにより、副蓄電装置の接続切換処理中にエンジンの始動・停止に伴う電力入出力が発生することを防止できる。この結果、接続切換処理中に、エンジンの始動・停止処理に起因して、出力可能な車両駆動パワーが変動することを回避できるので、当該接続切換処理が車両運転性（ドライバビリティ）に悪影響を与えることを防止できる。【００２０】
好ましくは、切換制御装置は、昇圧指示部と、第１の電力制限部と、接続切換制御部と、第２の電力制限部とをさらに含む。昇圧指示部は、切換要求が発生されたときに、給電ラインの電圧を、主蓄電装置の出力電圧および切換後に第２の電圧変換器と接続される副蓄電装置の出力電圧よりも高い第１の電圧とするように第１の電圧変換器に指示するように構成される。第１の電力制限部は、給電ラインの電圧が第１の電圧に達した後に、選択副蓄電装置による入出力電力上限値を徐々に零まで減少させるように構成される。接続切換制御部は、第１の電力制限部によって入出力電力上限値が零に設定されたときに、複数の副蓄電装置および第２の電圧変換器の間の接続を切換えるように構成される。第２の電力制限部は、接続切換制御部により複数の副蓄電装置および第２の電圧変換器の間の接続が切換えられた後に、第２の電圧変換器と新たに接続された副蓄電装置の充電状態に対応する値まで、入出力電力上限値を徐々に上昇させるように構成される。【００２１】
また好ましくは、制御方法は、切換要求が発生されたときに、給電ラインの電圧を、主蓄電装置の出力電圧および切換後に第２の電圧変換器と接続される副蓄電装置の出力電圧よりも高い第１の電圧とするように第１の電圧変換器に指示するステップと、給電ラインの電圧が第１の電圧に達した後に、選択副蓄電装置による入出力電力上限値を徐々に零まで減少させるステップと、減少させるステップによって入出力電力上限値が零に設定されたときに、複数の副蓄電装置と第２の電圧変換器との間の接続を切換えるステップと、切換えるステップにより複数の副蓄電装置と第２の電圧変換器との間の接続が切換えられた後に、第２の電圧変換器と新たに接続された副蓄電装置の充電状態に対応する値まで、入出力電力上限値を徐々に上昇させるステップとをさらに備える。【００２２】
このようにすると、第２の電圧変換器と副蓄電装置との接続切換の際には、主蓄電装置の出力電圧および新たに使用する副蓄電装置の出力電圧のいずれよりも高い第１の電圧まで給電ラインを昇圧した後に、新たに使用する副蓄電装置を第２の電圧変換器と接続することができる。これにより、給電ラインを介して、新たに使用する副蓄電装置からの短絡経路が形成されることを防止できる。また、副蓄電装置の接続切換前に副蓄電装置の入出力電力上限値を絞るとともに、接続切換完了後に当該入出力電力上限値を徐々に復帰させるので、接続切換のため副蓄電装置に対する電力入出力が不能である期間において、電源システムに対して過度の充放電電力が要求されることを防止できる。
【発明の効果】
【００２３】
本発明によれば、主蓄電装置および副蓄電装置を備え、かつ複数の蓄電装置によって電圧変換機（コンバータ）を共有する電源構成のハイブリッド車両において、副蓄電装置の切換処理が、車両運転性（ドライバビリティ）に悪影響を与えることを防止できる。
【図面の簡単な説明】
【００２４】
【図１】本発明の実施の形態に係るハイブリッド車両の主たる構成を示す図である。
【図２】図１に示した各インバータの詳細な構成を示す回路図である。
【図３】図１に示した各コンバータの詳細な構成を示す回路図である。
【図４】ハイブリッド車両の走行制御を説明する機能ブロック図である。
【図５】本発明の実施の形態によるハイブリッド車両における選択副蓄電装置接続切換処理の概略的な処理手順を示すフローチャートである。
【図６】図５に示した副蓄電装置の切換判定処理の詳細を説明するフローチャートである。
【図７】図５に示した切換前昇圧処理の詳細を説明するフローチャートである。
【図８】図５に示した電力制限変更処理の詳細を説明するフローチャートである。
【図９】図５に示した接続切換処理の詳細を説明するフローチャートである。
【図１０】図５に示した復帰処理の詳細を説明するフローチャートである。
【図１１】本発明の実施の形態によるハイブリッド車両における選択副蓄電装置の切換処理時の動作波形図である。
【図１２】本発明の実施の形態によるハイブリッド車両におけるエンジン始動／停止制限のための制御処理を説明する第１のフローチャートである。
【図１３】本発明の実施の形態によるハイブリッド車両におけるエンジン始動／停止制限のための制御処理を説明する第２のフローチャートである。
【図１４】本発明の実施の形態のハイブリッド車両の制御構成のうちの、選択副蓄電装置の切換処理およびエンジンの始動／停止制限のための機能部分を説明する機能ブロック図である。
【符号の説明】
【００２５】
１  ハイブリッド車両、２  車輪、３  動力分割機構、４  エンジン、６  バッテリ充電用コンバータ（外部充電）、８  外部電源、９Ａ，９Ｂ１，９Ｂ２  電流センサ、１０Ａ，１０Ｂ１，１０Ｂ２，１３，２１Ａ，２１Ｂ  電圧センサ、１１Ａ，１１Ｂ１，１１Ｂ２  温度センサ、１２Ａ  コンバータ（主蓄電装置専用）、１２Ｂ  コンバータ（副蓄電装置共用）、１４，２２  インバータ、１５〜１７  各相アーム（Ｕ，Ｖ，Ｗ）、２４，２５  電流センサ、３０  制御装置、３９Ａ  接続部（主蓄電装置）、３９Ｂ  接続部（副蓄電装置）、１００  切換判定部、１１０  昇圧指示部、１２０  電力制限部（主蓄電装置）、１３０  電力制限部（副蓄電装置）、１４０  接続切換制御部、２００  コンバータ制御部、２０５  エンジン始動禁止要求発生部、２１０  バッテリ切換禁止部、２１５  保護制御部、２５０  走行制御部、２６０  トータルパワー算出部、２７０，２８０  インバータ制御部、ＢＡ  バッテリ（主蓄電装置）、ＢＢ  選択副蓄電装置、ＢＢ１，ＢＢ２  バッテリ（副蓄電装置）、Ｃ１，Ｃ２，ＣＨ  平滑用コンデンサ、ＣＭＢＴ  昇圧指令信号、ＣＯＮＴ１〜ＣＯＮＴ７  リレー制御信号、Ｄ１〜Ｄ８  ダイオード、ＦＢＴ  フラグ（昇圧完了）、ＦＩＮＨ  禁止フラグ（副蓄電装置切換処理）、ＩＡ，ＩＢ１，ＩＢ２  入出力電流（バッテリ）、ＩＤ  変数（切換処理ステータス）、ＩＧＯＮ  起動信号、Ｌ１  リアクトル、ＭＣＲＴ１，ＭＣＲＴ２  モータ電流値、ＭＧ１，ＭＧ２  モータジェネレータ、ＰＬ１Ａ，ＰＬ１Ｂ  電源ライン、ＰＬ２  給電ライン、Ｐｔｔｌ  トータル要求パワー、ＰＲＴ  フラグ（部品保護目的）、ＰＷＭＩ，ＰＷＭＩ１，ＰＷＭＩ２，ＰＷＭＣ，ＰＷＭＣ１，ＰＷＭＣ２  制御信号（インバータ）、ＰＷＵ，ＰＷＵＡ，ＰＷＤＡ，ＰＷＤ，ＰＷＤＡ，ＰＷＤＢ  制御信号（コンバータ）、ＲＱＥＳ  フラグ（エンジン始動／停止処理禁止）、Ｑ１〜Ｑ８  ＩＧＢＴ素子、Ｒ  制限抵抗、ＳＬ１，ＳＬ２  接地ライン、ＳＭＲ１〜ＳＭＲ３  システムメインリレー、ＳＲ１，ＳＲ１Ｇ，ＳＲ２，ＳＲ２Ｇ  リレー、ＳＴＰＥＧ  フラグ（エンジン停止処理中）、ＳＴＲＥＧ  フラグ（エンジン始動処理中）、ＴＡ、ＴＢＢ１，ＴＢＢ２  電池温度（バッテリ）、Ｔｑｃｏｍ１，Ｔｑｃｏｍ２  トルク指令値、ＵＬ、ＶＬ，ＷＬ  ライン（三相）、Ｖ１  所定電圧、ＶＢＡ，ＶＢＢ１，ＶＢＢ２  電圧（バッテリ出力電圧）、ＶＬＡ，ＶＬＢ，ＶＨ  電圧、ＶＨｒｅｆ  電圧指令値（ＶＨ）、Ｗｉｎ  入力上限電力、Ｗｉｎ（Ｍ）  入力上限電力（主蓄電装置）、Ｗｉｎ（Ｓ）  入力上限電力（選択副蓄電装置）、Ｗｏｕｔ  出力上限電力、Ｗｏｕｔ（Ｍ）  出力上限電力（主蓄電装置）、Ｗｏｕｔ（Ｓ）  出力上限電力（選択副蓄電装置）。
【発明を実施するための最良の形態】
【００２６】
以下に、本発明の実施の形態について図面を参照して詳細に説明する。なお、図中の同一または相当部分には同一符号を付して、その説明は原則的に繰返さないものとする。【００２７】
図１は、本発明の実施の形態に係るハイブリッド車両の主たる構成を示す図である。
図１を参照して、ハイブリッド車両１は、蓄電装置であるバッテリＢＡ，ＢＢ１，ＢＢ２と、接続部３９Ａ，３９Ｂと、コンバータ１２Ａ，１２Ｂと、平滑用コンデンサＣ１，Ｃ２，ＣＨと、電圧センサ１０Ａ，１０Ｂ１，１０Ｂ２，１３，２１Ａ，２１Ｂと、温度センサ１１Ａ，１１Ｂ１，１１Ｂ２と、電流センサ９Ａ，９Ｂ１，９Ｂ２と、給電ラインＰＬ２と、インバータ１４，２２と、モータジェネレータＭＧ１，ＭＧ２と、車輪２と、動力分割機構３と、エンジン４と、制御装置３０とを含む。【００２８】
本実施の形態によるハイブリッド車両の電源システムは、主蓄電装置であるバッテリＢＡと、モータジェネレータＭＧ２を駆動するインバータ１４に給電を行なう給電ラインＰＬ２と、主蓄電装置（ＢＡ）と給電ラインＰＬ２との間に設けられて双方向の電圧変換を行なう電圧変換器であるコンバータ１２Ａと、互いに並列的に設けられた複数の副蓄電装置であるバッテリＢＢ１，ＢＢ２と、複数の副蓄電装置（ＢＢ１，ＢＢ２）と給電ラインＰＬ２との間設けられて双方向の電圧変換を行なう電圧変換器であるコンバータ１２Ｂとを備えるように構成される。電圧変換器（１２Ｂ）は、複数の副蓄電装置（ＢＢ１，ＢＢ２）のうちのいずれか１つに選択的に接続されて、給電ラインＰＬ２との間で双方向の電圧変換を行なう。【００２９】
副蓄電装置（ＢＢ１またはＢＢ２の一方）と主蓄電装置（ＢＡ）とは、たとえば、同時使用することにより給電ラインに接続される電気負荷（２２およびＭＧ２）に許容された最大パワーを出力可能であるように蓄電可能容量が設定される。これによりエンジンを使用しないＥＶ走行において最大パワーの走行が可能である。副蓄電装置の蓄電状態が悪化したら、副蓄電装置を交換してさらに走行させればよい。そして副蓄電装置の電力が消費されてしまったら、主蓄電装置に加えてエンジンを使用することによって、副蓄電装置を使用しないでも最大パワーの走行を可能とすることができる。【００３０】
また、このような構成とすることにより、コンバータ１２Ｂを複数の副蓄電装置で兼用するので、コンバータの数を蓄電装置の数ほど増やさなくて良くなる。ＥＶ走行距離をさらに伸ばすには、バッテリＢＢ１，ＢＢ２に並列にさらにバッテリを追加すればよい。【００３１】
好ましくは、このハイブリッド車両に搭載される主蓄電装置および副蓄電装置は、外部充電が可能である。このために、ハイブリッド車両１は、さらに、たとえばＡＣ１００Ｖの商用電源である外部電源８に接続するためのバッテリ充電装置（充電用コンバータ）６を含む。バッテリ充電装置６は、交流を直流に変換するとともに電圧を調圧してバッテリの充電電力を供給する。なお、外部充電を可能とする構成としては、上記の他にも、モータジェネレータＭＧ１，ＭＧ２のステータコイルの中性点を交流電源に接続する方式やコンバータ１２Ａ，１２Ｂを合わせて交流直流変換装置として機能させる方式を用いても良い。【００３２】
平滑用コンデンサＣ１は、電源ラインＰＬ１Ａと接地ラインＳＬ２との間に接続される。電圧センサ２１Ａは、平滑用コンデンサＣ１の両端間の電圧ＶＬＡを検出して制御装置３０に対して出力する。コンバータ１２Ａは、平滑用コンデンサＣ１の端子間電圧を昇圧して給電ラインＰＬ２へ供給することができる。【００３３】
平滑用コンデンサＣ２は、電源ラインＰＬ１Ｂと接地ラインＳＬ２との間に接続される。電圧センサ２１Ｂは、平滑用コンデンサＣ２の両端間の電圧ＶＬＢを検出して制御装置３０に対して出力する。コンバータ１２Ｂは、平滑用コンデンサＣ２の端子間電圧を昇圧して給電ラインＰＬ２へ供給することができる。【００３４】
平滑用コンデンサＣＨは、コンバータ１２Ａ，１２Ｂによって昇圧された電圧を平滑化する。電圧センサ１３は、平滑用コンデンサＣＨの端子間電圧ＶＨを検知して制御装置３０に出力する。【００３５】
あるいは、逆方向に、コンバータ１２Ａ，１２Ｂは、平滑用コンデンサＣＨによって平滑化された端子間電圧ＶＨを降圧して、電源ラインＰＬ１Ａ，ＰＬ１Ｂへ供給することができる。【００３６】
インバータ１４は、コンバータ１２Ｂおよび／または１２Ａから与えられる直流電圧を三相交流電圧に変換してモータジェネレータＭＧ１に出力する。インバータ２２は、コンバータ１２Ｂおよび／または１２Ａから与えられる直流電圧を三相交流電圧に変換してモータジェネレータＭＧ２に出力する。【００３７】
動力分割機構３は、エンジン４およびモータジェネレータＭＧ１，ＭＧ２に結合されてこれらの間で動力を分配する機構である。たとえば動力分割機構としてはサンギヤ、プラネタリキャリヤ、リングギヤの３つの回転軸を有する遊星歯車機構を用いることができる。遊星歯車機構は、３つの回転軸のうち２つの回転軸の回転が定まれば、他の１つの回転軸の回転は強制的に定まる。この３つの回転軸がエンジン４、モータジェネレータＭＧ１，ＭＧ２の各回転軸にそれぞれ接続される。なおモータジェネレータＭＧ２の回転軸は、図示しない減速ギヤや差動ギヤによって車輪２に結合されている。また動力分割機構３の内部にモータジェネレータＭＧ２の回転軸に対する減速機をさらに組み込んでもよい。すなわち、エンジン出力の変化は、エンジン回転速度を変化させるのみならず、エンジン回転速度の変化を通じて、動力分割機構３に連結された回転要素（ＭＧ１，ＭＧ２等）の回転速度をも変化させるように作用する。【００３８】
接続部３９Ａは、バッテリＢＡの正極と電源ラインＰＬ１Ａとの間に接続されるシステムメインリレーＳＭＲ２と、システムメインリレーＳＭＲ２と並列接続される直列に接続されたシステムメインリレーＳＭＲ１および制限抵抗Ｒと、バッテリＢＡの負極（接地ラインＳＬ１）とノードＮ２との間に接続されるシステムメインリレーＳＭＲ３とを含む。【００３９】
システムメインリレーＳＭＲ１〜ＳＭＲ３は、制御装置３０から与えられるリレー制御信号ＣＯＮＴ１〜ＣＯＮＴ３にそれぞれ応じて導通状態（オン）／非導通状態（オフ）が制御される。【００４０】
電圧センサ１０Ａは、バッテリＢＡの端子間の電圧ＶＡを測定する。さらに、温度センサ１１Ａは、バッテリＢＡの温度ＴＡを測定し、電流センサ９Ａは、バッテリＢＡの入出力電流ＩＡを測定する。これらのセンサによる測定値は、制御装置３０へ出力される。
制御装置３０は、これらの測定値に基づいて、ＳＯＣ（State  of  Charge）に代表されるバッテリＢＡの状態を監視する。【００４１】
接続部３９Ｂは、電源ラインＰＬ１Ｂおよび接地ラインＳＬ２とバッテリＢＢ１，ＢＢ２との間に設けられている。接続部３９Ｂは、バッテリＢＢ１の正極と電源ラインＰＬ１Ｂとの間に接続されるリレーＳＲ１と、バッテリＢＢ１の負極と接地ラインＳＬ２との間に接続されるリレーＳＲ１Ｇと、バッテリＢＢ２の正極と電源ラインＰＬ１Ｂとの間に接続されるリレーＳＲ２と、バッテリＢＢ２の負極と接地ラインＳＬ２との間に接続されるリレーＳＲ２Ｇとを含む。【００４２】
リレーＳＲ１，ＳＲ２は、制御装置３０から与えられるリレー制御信号ＣＯＮＴ４，ＣＯＮＴ５にそれぞれ応じて導通状態（オン）／非導通状態（オフ）が制御される。リレーＳＲ１Ｇ，ＳＲ２Ｇは、制御装置３０から与えられるリレー制御信号ＣＯＮＴ６，ＣＯＮＴ７にそれぞれ応じて導通状態（オン）／非導通状態（オフ）が制御される。接地ラインＳＬ２は、後に説明するようにコンバータ１２Ａ，１２Ｂの中を通ってインバータ１４および２２側に延びている。【００４３】
電圧センサ１０Ｂ１および１０Ｂ２は、バッテリＢＢ１およびＢＢ２の端子間の電圧ＶＢＢ１およびＶＢＢ２をそれぞれ測定する。さらに、温度センサ１１Ｂ１および１１Ｂ２は、バッテリＢＢ１およびＢＢ２の温度ＴＢＢ１およびＴＢＢ２をそれぞれ測定する。また電流センサ９Ｂ１および９Ｂ２は、バッテリＢＢ１およびＢＢ２の入出力電流ＩＢ１およびＩＢ２を測定する。これらのセンサによる測定値は、制御装置３０へ出力される。制御装置３０は、これらの測定値に基づいて、ＳＯＣ（State  of  Charge）に代表されるバッテリＢＢ１，ＢＢ２の状態を監視する。
なお、バッテリＢＡ，ＢＢ１，ＢＢ２としては、たとえば、鉛蓄電池、ニッケル水素電池、リチウムイオン電池等の二次電池や、電気二重層コンデンサ等の大容量キャパシタなどを用いることができる。【００４４】
インバータ１４は、給電ラインＰＬ２および接地ラインＳＬ２に接続されている。インバータ１４は、コンバータ１２Ａおよび／または１２Ｂから昇圧された電圧を受けて、たとえばエンジン４を始動させるために、モータジェネレータＭＧ１を駆動する。また、インバータ１４は、エンジン４から伝達される動力によってモータジェネレータＭＧ１で発電された電力をコンバータ１２Ａおよび１２Ｂに戻す。このときコンバータ１２Ａおよび１２Ｂは、降圧コンバータとして動作するように制御装置３０によって制御される。【００４５】
電流センサ２４は、モータジェネレータＭＧ１に流れる電流をモータ電流値ＭＣＲＴ１として検出し、モータ電流値ＭＣＲＴ１を制御装置３０へ出力する。【００４６】
インバータ２２は、インバータ１４と並列的に、給電ラインＰＬ２と接地ラインＳＬ２に接続されている。インバータ２２は車輪２を駆動するモータジェネレータＭＧ２に対してコンバータ１２Ａおよび１２Ｂの出力する直流電圧を三相交流電圧に変換して出力する。またインバータ２２は、回生制動に伴い、モータジェネレータＭＧ２において発電された電力をコンバータ１２Ａおよび１２Ｂに戻す。このときコンバータ１２Ａおよび１２Ｂは、降圧コンバータとして動作するように制御装置３０によって制御される。【００４７】
電流センサ２５は、モータジェネレータＭＧ２に流れる電流をモータ電流値ＭＣＲＴ２として検出し、モータ電流値ＭＣＲＴ２を制御装置３０へ出力する。【００４８】
制御装置３０は、図示しないＣＰＵ（Central  Processing  Unit）およびメモリを内蔵した電子制御ユニット（ＥＣＵ）により構成され、当該メモリに記憶されたマップおよびプログラムに基づいて、各センサによる測定値を用いた演算処理を行なう。なお、制御装置３０の一部については、電子回路等のハードウェアにより所定の数値・論理演算処理を実行するように構成されてもよい。【００４９】
具体的には、制御装置３０は、モータジェネレータＭＧ１，ＭＧ２の各トルク指令値および各回転速度、電圧ＶＢＡ，ＶＢＢ１，ＶＢＢ２，ＶＬＡ，ＶＬＢ，ＶＨの各値、モータ電流値ＭＣＲＴ１，ＭＣＲＴ２および起動信号ＩＧＯＮを受ける。そして制御装置３０は、コンバータ１２Ｂに対して昇圧指示を行なう制御信号ＰＷＵＢ，降圧指示を行なう制御信号ＰＷＤＢおよび動作禁止を指示するシャットダウン信号を出力する。【００５０】
さらに、制御装置３０は、インバータ１４に対してコンバータ１２Ａ，１２Ｂの出力である直流電圧を、モータジェネレータＭＧ１を駆動するための交流電圧に変換する駆動指示を行なう制御信号ＰＷＭＩ１と、モータジェネレータＭＧ１で発電された交流電圧を直流電圧に変換してコンバータ１２Ａ，１２Ｂ側に戻す回生指示を行なう制御信号ＰＷＭＣ１とを出力する。【００５１】
同様に制御装置３０は、インバータ２２に対してモータジェネレータＭＧ２を駆動するための交流電圧に直流電圧を変換する駆動指示を行なう制御信号ＰＷＭＩ２と、モータジェネレータＭＧ２で発電された交流電圧を直流電圧に変換してコンバータ１２Ａ，１２Ｂ側に戻す回生指示を行なう制御信号ＰＷＭＣ２とを出力する。【００５２】
図２は、図１のインバータ１４および２２の詳細な構成を示す回路図である。
図２を参照して、インバータ１４は、Ｕ相アーム１５と、Ｖ相アーム１６と、Ｗ相アーム１７とを含む。Ｕ相アーム１５、Ｖ相アーム１６、およびＷ相アーム１７は、給電ラインＰＬ２と接地ラインＳＬ２との間に並列に接続される。【００５３】
Ｕ相アーム１５は、給電ラインＰＬ２と接地ラインＳＬ２との間に直列接続されたＩＧＢＴ（Insulated  gate  Bipolar  Transistor）素子Ｑ３，Ｑ４と、ＩＧＢＴ素子Ｑ３，Ｑ４と、それぞれの逆並列ダイオードＤ３，Ｄ４とを含む。ダイオードＤ３のカソードはＩＧＢＴ素子Ｑ３のコレクタと接続され、ダイオードＤ３のアノードはＩＧＢＴ素子Ｑ３のエミッタと接続される。ダイオードＤ４のカソードはＩＧＢＴ素子Ｑ４のコレクタと接続され、ダイオードＤ４のアノードはＩＧＢＴ素子Ｑ４のエミッタと接続される。【００５４】
Ｖ相アーム１６は、給電ラインＰＬ２と接地ラインＳＬ２との間に直列接続されたＩＧＢＴ素子Ｑ５，Ｑ６と、それぞれの逆並列ダイオードＤ５，Ｄ６とを含む。ＩＧＢＴ素子Ｑ５，Ｑ６および逆並列ダイオードＤ５，Ｄ６の接続は、Ｕ相アーム１５と同様である。【００５５】
Ｗ相アーム１７は、給電ラインＰＬ２と接地ラインＳＬ２との間に直列接続されたＩＧＢＴ素子Ｑ７，Ｑ８と、それぞれの逆並列ダイオードＤ７，Ｄ８とを含む。ＩＧＢＴ素子Ｑ７，Ｑ８および逆並列ダイオードＤ７，Ｄ８の接続も、Ｕ相アーム１５と同様である。【００５６】
なお、本実施の形態において、ＩＧＢＴ素子は、オンオフ制御可能な電力用半導体スイッチング素子の代表例として示される。すなわち、バイポーラトランジスタや電界効果トランジスタ等の電力用半導体スイッチング素子をＩＧＢＴ素子に代えて用いることも可能である。【００５７】
各相アームの中間点は、モータジェネレータＭＧ１の各相コイルの各相端に接続されている。すなわち、モータジェネレータＭＧ１は、三相の永久磁石同期モータであり、Ｕ，Ｖ，Ｗ相の３つのコイルは各々一方端が中点に共に接続されている。そして、Ｕ相コイルの他方端がＩＧＢＴ素子Ｑ３，Ｑ４の接続ノードから引出されたラインＵＬに接続される。またＶ相コイルの他方端がＩＧＢＴ素子Ｑ５，Ｑ６の接続ノードから引出されたラインＶＬに接続される。またＷ相コイルの他方端がＩＧＢＴ素子Ｑ７，Ｑ８の接続ノードから引出されたラインＷＬに接続される。【００５８】
なお、図１のインバータ２２についても、モータジェネレータＭＧ２に接続される点が異なるが、内部の回路構成についてはインバータ１４と同様であるので詳細な説明は繰返さない。また、図２には、インバータに制御信号ＰＷＭＩ，ＰＷＭＣが与えられることが記載されているが、記載が複雑になるのを避けるためであり、図１に示されるように、別々の制御信号ＰＷＭＩ１，ＰＷＭＣ１と制御信号ＰＷＭＩ２，ＰＷＭＣ２がそれぞれインバータ１４，２２に入力される。【００５９】
図３は、図１のコンバータ１２Ａおよび１２Ｂの詳細な構成を示す回路図である。
図３を参照して、コンバータ１２Ａは、一方端が電源ラインＰＬ１Ａに接続されるリアクトルＬ１と、給電ラインＰＬ２と接地ラインＳＬ２との間に直列に接続されるＩＧＢＴ素子Ｑ１，Ｑ２と、それぞれの逆並列ダイオードＤ１，Ｄ２とを含む。【００６０】
リアクトルＬ１の他方端はＩＧＢＴ素子Ｑ１のエミッタおよびＩＧＢＴ素子Ｑ２のコレクタに接続される。ダイオードＤ１のカソードはＩＧＢＴ素子Ｑ１のコレクタと接続され、ダイオードＤ１のアノードはＩＧＢＴ素子Ｑ１のエミッタと接続される。ダイオードＤ２のカソードはＩＧＢＴ素子Ｑ２のコレクタと接続され、ダイオードＤ２のアノードはＩＧＢＴ素子Ｑ２のエミッタと接続される。【００６１】
なお、図１のコンバータ１２Ｂについても、電源ラインＰＬ１Ａに代えて電源ラインＰＬ１Ｂに接続される点がコンバータ１２Ａと異なるが、内部の回路構成についてはコンバータ１２Ａと同様であるので詳細な説明は繰返さない。また、図３には、コンバータに制御信号ＰＷＵ，ＰＷＤが与えられることが記載されているが、記載が複雑になるのを避けるためであり、図１に示されるように、別々の制御信号ＰＷＵＡ，ＰＷＤＡと制御信号ＰＷＵＢ，ＰＷＤＢがそれぞれインバータ１４，２２に入力される。【００６２】
ハイブリッド車両１の電源システムでは、バッテリＢＡ（主蓄電装置）と、バッテリＢＢ１，ＢＢ２のうちの選択された副蓄電装置（以下、「選択副蓄電装置ＢＢ」とも称する）とによって、モータジェネレータＭＧ１，ＭＧ２との間での電力の授受が行なわれる。【００６３】
制御装置３０は、電圧センサ１０Ａ、温度センサ１１Ａおよび電流センサ９Ａの検出値に基づいて、主蓄電装置の残存容量を示すＳＯＣ（Ｍ）、充電電力の上限値を示す入力上限電力Ｗｉｎ（Ｍ）、および、放電電力の上限値を示す出力上限電力Ｗｏｕｔ（Ｍ）を設定する。【００６４】
さらに、制御装置３０は、電圧センサ１０Ｂ１，１０Ｂ２、温度センサ１１Ｂ１，１１Ｂ２および電流センサ９Ｂ１，９Ｂ２の検出値に基づいて、選択副蓄電装置ＢＢについてのＳＯＣ（Ｂ）および入出力上限電力Ｗｉｎ（Ｓ），Ｗｏｕｔ（Ｓ）を設定する。【００６５】
一般的に、ＳＯＣは、各バッテリの満充電状態に対する現在の充電量の割合（％）によって示される。また、Ｗｉｎ，Ｗｏｕｔは、所定時間（たとえば１０秒程度）当該電力を放電しても当該バッテリ（ＢＡ，ＢＢ１，ＢＢ２）が過充電または過放電とならないような電力の上限値として示される。【００６６】
図４には、制御装置３０によって実現されるハイブリッド車両１の走行制御、具体的には、エンジン４およびモータジェネレータＭＧ１，ＭＧ２の間でのパワー配分制御に係る制御構成を説明するための機能ブロック図が示される。なお、図４に示される各機能ブロックは、制御装置３０による予め記憶された所定プログラムの実行および／または制御装置３０内の電子回路（ハードウェア）による演算処理によって実現されるものとする。【００６７】
図４を参照して、トータルパワー算出部２６０は、車速およびペダル操作（アクセルペダル）に基づいて、ハイブリッド車両１全体でのトータル要求パワーＰｔｔｌを算出する。なお、トータル要求パワーＰｔｔｌには、車両状況に応じて、モータジェネレータＭＧ１によるバッテリ充電電力の発生のために要求されるパワー（エンジン出力）も含まれ得る。【００６８】
走行制御部２５０には、主蓄電装置ＢＡの入出力上限電力Ｗｉｎ（Ｍ），Ｗｏｕｔ（Ｍ）および選択副蓄電装置ＢＢの入出力上限電力Ｗｉｎ（Ｓ），Ｗｏｕｔ（Ｓ）と、トータルパワー算出部２６０からのトータル要求パワーＰｔｔｌと、ブレーキペダル操作時の回生ブレーキ要求が入力される。走行制御部２５０は、モータジェネレータＭＧ１，ＭＧ２トータルでの入出力電力が、主蓄電装置ＢＡおよび選択副蓄電装置ＢＢトータルの充電制限（Ｗｉｎ（Ｍ）＋Ｗｉｎ（Ｓ））および放電制限（Ｗｏｕｔ（Ｍ）＋Ｗｏｕｔ（Ｓ））の範囲内となるように、モータ制御指令としてのトルク指令値Ｔｑｃｏｍ１およびＴｑｃｏｍ２を生成する。さらに、トータル要求パワーＰｔｔｌが確保されるように、モータジェネレータＭＧ２による車両駆動パワーと、エンジン４による車両駆動パワーとが配分される。特に、外部充電されたバッテリ電力を最大限に利用してエンジン４の作動を抑制すること、あるいは、エンジン４による車両駆動パワーをエンジン４が高効率で作動可能な領域に対応して設定することによって、高燃費の車両走行制御が実現される。【００６９】
インバータ制御部２７０は、トルク指令値Ｔｑｃｏｍ１およびモータジェネレータＭＧ１のモータ電流値ＭＣＲＴ１に基づいて、インバータ１４の制御信号ＰＷＭＩ１，ＰＷＭＣ１を生成する。同様に、インバータ制御部２８０は、トルク指令値Ｔｑｃｏｍ２およびモータジェネレータＭＧ２のモータ電流値ＭＣＲＴ２に基づいて、インバータ２２の制御信号ＰＷＭＩ２，ＰＷＭＣ２を生成する。また、走行制御部２５０は、設定されたエンジンによる車両駆動パワーの要求値に応じてエンジン制御指令を生成する。さらに、図示しない制御装置（エンジンＥＣＵ）によって、上記エンジン制御指令に従ってエンジン４の動作が制御される。【００７０】
ハイブリッド車両１は、バッテリ電力を積極的に使用して車両走行を行なう走行モード（ＥＶモード）の場合には、トータル要求パワーＰｔｔｌがバッテリ全体での出力上限電力Ｗｏｕｔ（Ｍ）＋Ｗｏｕｔ（Ｓ）以下であるときには、エンジン４を作動させることなく、モータジェネレータＭＧ２による車両駆動パワーのみによって走行する。一方で、トータル要求パワーＰｔｔｌがＷｏｕｔ（Ｍ）＋Ｗｏｕｔ（Ｓ）を超えたときには、エンジン４が始動される。【００７１】
これに対して、当該ＥＶモードが選択されない走行モード（ＨＶモード）のときには、バッテリＳＯＣが所定目標値に維持されるように、エンジン４およびモータジェネレータＭＧ２での間での駆動力パワー配分が制御される。すなわち、ＥＶモードと比較して、エンジン４が作動されやすい走行制御がなされる。【００７２】
走行制御部２５０は、上記のような駆動力パワー配分制御に従って、停止中のエンジン４を始動させる必要がある場合には、エンジン４の始動要求を発生する。この始動要求に応答してエンジン始動指令が発生されると、モータジェネレータＭＧ１は、エンジン４のクランキングトルク（正回転トルク）を発生するように制御される。すなわち、エンジン始動処理では、このクランキングトルク発生のためのモータジェネレータＭＧ１の消費電力を、電源システムから供給することが必要となる。【００７３】
同様に、走行制御部２５０は、上記のような駆動力パワー配分制御に従って、作動中のエンジン４を停止させる必要がある場合には、エンジン停止要求を発生する。この停止要求に応答してエンジン停止指令が発生されると、エンジン４での燃料供給が停止される（フューエルカット）とともに、振動抑制のために、フューエルカット後にモータジェネレータＭＧ１によって、減速度制御のためのモータ駆動や、エンジン停止直前での回生ブレーキ使用が実行される。エンジン停止処理では、これらのモータ駆動や回生ブレーキのための電力が電源システムに対して入出力される。【００７４】
なお、ハイブリッド車両１では、エンジン４とモータジェネレータＭＧ１，ＭＧ２とが動力分割機構３を介して連結される構成となっていることから、動力分割機構３に連結された回転要素、たとえば、エンジン４またはモータジェネレータＭＧ１の回転速度が過上昇したときにそれを抑制する目的で、部品保護のためのエンジン始動要求またはエンジン停止要求が発生されることがある。たとえば、エンジン４を停止させてエンジン出力トルクを抜くことによりモータジェネレータＭＧ１およびエンジン４の回転速度低下を図ったり、エンジン４を始動させることにより、モータジェネレータＭＧ１の負方向の回転速度抑制を図るようなケースがこれに該当する。【００７５】
そして、上記ＥＶモードでは、主蓄電装置ＢＡよりも選択副蓄電装置ＢＢの電力を優先的に使用するような充放電制御がなされる。このため、車両走行中に使用中の選択副蓄電装置ＢＢのＳＯＣが低下すると、選択副蓄電装置ＢＢを切換える必要が生じる。たとえば、車両起動時にバッテリＢＢ１を選択副蓄電装置ＢＢとした場合には、バッテリＢＢ１をコンバータ１２Ｂから切離す一方で、バッテリＢＢ２を新たな選択副蓄電装置ＢＢとしてコンバータ１２Ｂと接続する接続切換処理を実行する必要が生じる。【００７６】
この際に、選択副蓄電装置の接続切換処理中には、主蓄電装置ＢＡのみが使用可能であるため、電源システム全体として入出力可能な電力は低下する。また、上記のようにエンジン始動／停止処理には電源システムに対する電力の入出力が発生する。したがって、選択副蓄電装置の接続切換処理とエンジン始動／停止処理とが重なって実行されると、エンジン始動／停止処理に要する電力分の影響によって、車両全体で発生可能な車両駆動パワーが一時的に確保できなくなって、車両運転性（ドライバビリティ）に影響が生じる可能性がある。【００７７】
したがって、選択副蓄電装置の接続切換処理が車両運転性に影響を与えないように考慮して、エンジン始動／停止処理および選択副蓄電装置の接続切換処理の実行タイミングを策定する必要がある。【００７８】
また、選択副蓄電装置の接続切換処理では、新たな高電圧バッテリの接続により意図しない短絡経路が発生することによって機器保護等に問題を生じるおそれがあるので、副蓄電装置の接続切換処理は、短絡経路の発生防止に十分留意する必要がある。また、上記接続切換処理の期間では、選択副蓄電装置ＢＢによる電力供給および電力回収が不可能となるので、当該期間において電源システム全体で過充電および過放電が発生しないような充放電制限を行なうことが求められる。【００７９】
図５は、本発明の実施の形態によるハイブリッド車両の電源システムにおける選択副蓄電装置の切換処理の概略的な処理手順を示すフローチャートである。また、図６〜図１０は、図５のステップＳ１００、Ｓ２００、Ｓ３００、Ｓ４００、およびＳ５００の詳細を説明するフローチャートである。【００８０】
制御装置３０は、予め記憶した所定プログラムを所定周期で実行することによって、図５〜図１０に示されるフローチャートに従う制御処理手順を所定周期で繰り返し実行することができる。これにより、本発明の実施の形態によるハイブリッド車両の電源システムにおける副蓄電装置の接続切換処理が実現できる。【００８１】
図５を参照して、制御装置３０は、ステップＳ１００では、選択副蓄電装置の切換判定処理を実行する。そして、選択副蓄電装置の切換要と判定されたときには、以下のステップＳ２００〜Ｓ５００が実行される。一方、ステップＳ１００で選択副蓄電装置の切換不要と判定されたときには、ステップＳ２００〜Ｓ５００は、実質的に非実行とされる。【００８２】
制御装置３０は、ステップＳ２００では、切換前昇圧処理を実行し、ステップＳ３００では、副蓄電装置の接続切換期間中に電源システムに対して過大な充放電要求が発生しないように、電力制限変更処理を実行する。そして、制御装置３０は、ステップＳ４００により、選択副蓄電装置ＢＢおよびコンバータ１２Ｂの接続を実際に切換える接続切換処理を実行し、その完了後ステップＳ５００により、復帰処理を実行して新たな選択副蓄電装置ＢＢによる電力供給を開始する。【００８３】
図６は、図５における選択副蓄電装置の切換判定処理（Ｓ１００）の詳細を説明するフローチャートである。【００８４】
なお、以下に説明するように、接続切換処理の進行状況（ステータス）を示す変数ＩＤが導入される。変数ＩＤ＝−１，０〜４のいずれかに設定される。ＩＤ＝０は、副蓄電装置の切換要求が発生していない状態を示す。すなわち、ＩＤ＝０のときには、現在の選択副蓄電装置ＢＢによる電力供給が実行される一方で、選択副蓄電装置ＢＢの切換要否が所定周期で判定されることになる。また、機器故障やバッテリ電力消費により、新たに使用可能である副蓄電装置が存在しない場合には、ＩＤ＝−１に設定されるものとする。【００８５】
図６を参照して、制御装置３０は、ステップＳ１０５によりＩＤ＝０かどうかを判定する。ＩＤ＝０のとき（Ｓ１０５のＹＥＳ判定時）には、制御装置３０は、実質的な切換要否判定処理を開始する。【００８６】
まず、制御装置３０は、ステップＳ１１０により、選択副蓄電装置ＢＢの充電状態（ＳＯＣ）に基づいて、切換要求の発生が必要であるかどうかを判定する。たとえば、選択副蓄電装置ＢＢのＳＯＣを所定の判定値と比較し、当該判定値よりもＳＯＣが低下したときにステップＳ１１０がＹＥＳ判定とされる。【００８７】
ステップＳ１１０がＹＥＳ判定とされると、制御装置３０は、ステップＳ１２０に処理を進めて、エンジン４の停止処理中または始動処理中であるかどうかを判定する。たとえば、エンジン制御で使用される、エンジン始動指令の発生からエンジン回転速度が所定値まで上昇するまでの期間オンされるフラグ（図１４のＳＴＲＥＧ）や、エンジン停止指令発生からエンジン停止（回転速度＝０）までの期間オンされるフラグ（図１４のＳＴＰＥＧ）に基づいて、当該処理を実行することができる。【００８８】
さらに、制御装置３０は、ステップＳ１２０がＮＯ判定のとき、すなわち選択副蓄電装置ＢＢのＳＯＣが判定値より低下し、かつ、エンジン始動処理および停止処理のいずれも実行されていないときには、ステップＳ１３０に処理を進めて、選択副蓄電装置ＢＢの切換要求を発生する。【００８９】
一方で、ＳＯＣ低下時（Ｓ１１０のＹＥＳ判定時）であっても、エンジン停止処理またはエンジン始動処理の実行中には（Ｓ１２０のＹＥＳ判定時）、制御装置３０は、ステップＳ１４０に処理を進めて、切換要求を非発生とする。【００９０】
なお、選択副蓄電装置ＢＢのＳＯＣが判定値以上であるとき（Ｓ１１０のＮＯ判定時）にも、制御装置３０は、ステップＳ１４０により切換要求を非発生とする。【００９１】
制御装置３０は、ステップＳ１５０では、切換要求の有無を確認する。そして、切換要求の発生時（Ｓ１５０のＹＥＳ判定時）には、制御装置３０は、ステップＳ１６０により、新たに用いる選択副蓄電装置ＢＢを指定する。図１に示したように、副蓄電装置としてバッテリＢＢ１，ＢＢ２の２個が搭載されている場合には、ステップＳ１６０の処理を行なうまでもなく、新たな選択副蓄電装置ＢＢは自動的に決定される。ただし、図１の構成において、３個以上の副蓄電装置ＢＢ１〜ＢＢｎ（ｎ：３以上の整数）が搭載される場合には、現在非使用中の副蓄電装置のそれぞれのＳＯＣ等に基づいて、次に使用される新たな副蓄電装置が指定されることになる。そして、制御装置３０は、接続切換処理を進めるために、ＩＤ＝１に設定する。すなわち、ＩＤ＝１は、選択副蓄電装置ＢＢの切換要求が生成されて、切換処理が開始された状態を示している。【００９２】
一方、ステップＳ１１０により選択副蓄電装置の切換不要と判定されたとき（Ｓ１５０のＮＯ判定時）には、制御装置３０は、ステップＳ１７０によりＩＤ＝０に維持したまま切換判定処理を終了する。この結果、次回以降の制御周期において、ステップＳ１０５がＹＥＳ判定とされることにより、上記の切換判定処理が再び実行されることになる。この結果、エンジン４の停止処理または始動処理の実行中にＳＯＣ＜判定値となっても、切換要求の発生は、当該処理の終了まで待機されることになる。【００９３】
なお、一旦ＩＤ≧１となって切換処理が開始されているとき、あるいは、新たに使用可能な副蓄電装置が存在せずＩＤ＝−１に設定されているときには（Ｓ１０５のＮＯ判定時）、ステップＳ１１０〜Ｓ１８０の処理はスキップされる。【００９４】
図７は、図５に示した切換前昇圧処理（Ｓ２００）の詳細を説明するフローチャートである。【００９５】
図７を参照して、制御装置３０は、切換前昇圧処理では、ステップＳ２０５により、ＩＤ＝１であるかどうかを確認する。そして、ＩＤ＝１であり、選択副蓄電装置ＢＢの切換要求がなされて、切換処理が開始されたとき（Ｓ２０５のＹＥＳ判定時）には、制御装置３０は、ステップＳ２１０により、給電ラインＰＬ２の電圧ＶＨを所定電圧Ｖ１まで昇圧するように、コンバータ１２Ａに対する昇圧指令を発生する。この昇圧指令に応答して給電ラインＰＬ２の電圧指令値ＶＨｒｅｆ＝Ｖ１に設定され、この電圧指令値が実現されるようにコンバータ１２Ａの制御信号ＰＷＵＡが生成される。【００９６】
ここで所定電圧Ｖ１は、主蓄電装置ＢＡおよび新たに接続される選択副蓄電装置ＢＢ（たとえばＢＢ２）の出力電圧のうちの高い方の電圧よりも高い電圧に設定される。たとえば、所定電圧Ｖ１を、コンバータ１２Ａによる昇圧可能な制御上限電圧ＶＨｍａｘとすることによって、昇圧指令時の電圧ＶＨを、主蓄電装置ＢＡおよび切換後の選択副蓄電装置ＢＢの出力電圧の両方よりも、確実に高くすることができる。あるいは、コンバータ１２Ａでの損失を低減する観点から、その時点での主蓄電装置ＢＡおよび切換後の選択副蓄電装置ＢＢの出力電圧に応じて、マージンを持たせて所定電圧Ｖ１を都度決定してもよい。【００９７】
ステップＳ２１０により昇圧指令が発生されると、制御装置３０は、ステップＳ２２０により、電圧センサ１３の検出値に基づき電圧ＶＨが所定電圧Ｖ１に到達したかどうかを判定する。たとえば、所定時間継続してＶＨ≧Ｖ１となったときに、ステップＳ２２０はＹＥＳ判定とされる。【００９８】
電圧ＶＨが所定電圧Ｖ１に到達すると（Ｓ２２０のＹＥＳ判定時）、制御装置３０は、ＩＤを１から２に進める。一方で、電圧ＶＨがＶ１に到達するまでの間（Ｓ２２０のＮＯ判定時）は、ＩＤ＝１に維持される。すなわち、ＩＤ＝２は、切換前昇圧処理が終了しており、切換処理をさらに進めることが可能な状態を示している。また、ＩＤ≠１のとき（Ｓ２０５のＮＯ判定時）には、以降のステップＳ２１０〜Ｓ２３０の処理はスキップされる。【００９９】
このように切換前昇圧処理（ステップＳ２００）が終了すると、制御装置３０は、図８に示すような電力制限変更処理を実行する。【０１００】
図８は、図５に示した電力制限変更処理（Ｓ３００）の詳細を説明するフローチャートである。【０１０１】
図８を参照して、制御装置３０は、電力制限変更処理においては、まずステップＳ３０５により、ＩＤ＝２であるかどうかを判定する。ＩＤ＝２でないとき（Ｓ３０５のＮＯ判定時）には、以降のステップＳ３１０〜３４０の処理はスキップされる。【０１０２】
ＩＤ＝２のとき（Ｓ３０５のＹＥＳ判定時）には、制御装置３０は、ステップＳ３１０により、主蓄電装置ＢＡの充放電制限の一時的な緩和を開始する。具体的には、主蓄電装置ＢＡの入出力上限電力Ｗｉｎ（Ｍ），Ｗｏｕｔ（Ｍ）の絶対値が一時的に増大される。【０１０３】
さらに、制御装置３０は、ステップＳ３２０により、選択副蓄電装置ＢＢの入出力上限電力Ｗｉｎ（Ｓ），Ｗｏｕｔ（Ｓ）の絶対値を徐々に低下させる。たとえば、所定の一定レートに従って、Ｗｏｕｔ（Ｓ），Ｗｉｎ（Ｓ）が０に向けて徐々に低下される。【０１０４】
制御装置３０は、ステップＳ３３０により、Ｗｏｕｔ（Ｓ），Ｗｉｎ（Ｓ）が０に達したかどうかを判定する。Ｗｏｕｔ（Ｓ）＝Ｗｉｎ（Ｓ）＝０となるまでの間、ステップＳ３２０が繰返し実行されて、Ｗｏｕｔ（Ｓ）およびＷｉｎ（Ｓ）は、継続的に低下する。【０１０５】
そして、Ｗｏｕｔ（Ｓ）およびＷｉｎ（Ｓ）が０に達すると（Ｓ３３０のＹＥＳ判定時）、制御装置３０は、ステップＳ３４０により、ＩＤを２から３に進める。すなわち、ＩＤ＝３は、切換前昇圧処理および電力制限変更処理が終了しており、副蓄電装置ＢＢ１，ＢＢ２およびコンバータ１２Ｂの間の接続切換が開始可能な状態を示している。【０１０６】
制御装置３０は、図８に示した電力制限変更処理が終了すると、ステップＳ４００による副蓄電装置の接続切換処理を実行する。【０１０７】
図９は、図５に示した副蓄電装置の接続切換処理（Ｓ４００）の詳細を説明するフローチャートである。【０１０８】
図９を参照して、制御装置３０は、副蓄電装置の接続切換処理においては、まずステップＳ４０５によってＩＤ＝３であるかどうかを判定する。そしてＩＤ≠３のとき（Ｓ４０５のＮＯ判定時）には、以降のステップＳ４１０〜Ｓ４５０の処理はスキップされる。【０１０９】
ＩＤ＝３のとき（Ｓ４０５のＹＥＳ判定時）には、制御装置３０は、ステップＳ４１０により、副蓄電装置の接続切換の準備として、コンバータ１２Ｂを停止させる。すなわち、コンバータ１２Ｂは、シャットダウン指令に応答して、ＩＧＢＴ素子Ｑ１，Ｑ２が強制的にオフされる。その上で、制御装置３０は、ステップＳ４２０により、副蓄電装置の接続を実際に切換えるためのリレー制御信号を発生する。たとえば、バッテリＢＢ１をコンバータ１２Ｂから切離し、かつ、バッテリＢＢ２をコンバータ１２Ｂと接続するために、リレーＳＲ１，ＳＲ１Ｇをオフするようにリレー制御信号ＣＯＮＴ４，ＣＯＮＴ６が生成される一方で、リレーＳＲ２，ＳＲ２Ｇオンするようにリレー制御信号ＣＯＮＴ５，ＣＯＮＴ７が生成される。【０１１０】
さらに、制御装置３０は、ステップＳ４３０により、ステップＳ４２０によって指示されたリレー接続切換が完了したかどうかを判定する。そして、接続切換が完了すると（Ｓ４３０のＹＥＳ判定時）、制御装置３０は、ステップＳ４４０により、コンバータ１２Ｂを再起動してスイッチング動作を開始させるとともに、ステップＳ４５０により、ＩＤを３から４に進める。【０１１１】
すなわち、ＩＤ＝４は、副蓄電装置およびコンバータ１２Ｂの間のリレーによる接続切換が完了した状態を示している。【０１１２】
制御装置３０は、ステップＳ４００による接続切換処理が終了すると、ステップＳ５００による復帰処理を実行する。【０１１３】
図１０は、図５に示した復帰処理（Ｓ５００）の詳細を説明するフローチャートである。【０１１４】
図１０を参照して、制御装置３０は、復帰処理においては、まずステップＳ５０５によってＩＤ＝４であるかどうかを判定する。そしてＩＤ≠４のとき（Ｓ５０５のＮＯ判定時）には、以降のステップＳ５１０〜Ｓ５７０の処理はスキップされる。【０１１５】
ＩＤ＝４のとき（Ｓ５０５のＹＥＳ判定時）には、制御装置３０は、ステップＳ５１０により、ステップＳ３１０（図７）で開始した、主蓄電装置ＢＡの充放電制限の一時的な緩和を終了する。これにより、Ｗｏｕｔ（Ｍ）およびＷｉｎ（Ｍ）は、基本的には、選択副蓄電装置ＢＢの切換処理開始前の値に復帰する。【０１１６】
さらに、制御装置３０は、電力制限処理（ステップＳ３００）により０まで絞られた選択副蓄電装置ＢＢの入出力上限電力Ｗｉｎ（Ｓ），Ｗｏｕｔ（Ｓ）を、新たな選択副蓄電装置（たとえば、バッテリＢＢ２）のＷｉｎ，Ｗｏｕｔの値まで、徐々に上昇させる。【０１１７】
そして、制御装置３０は、ステップＳ５３０により、入出力上限電力Ｗｉｎ（Ｓ），Ｗｏｕｔ（Ｓ）が、新たな選択副蓄電装置ＢＢのＷｉｎ，Ｗｏｕｔの値まで復帰したかどうかを確認する。復帰が完了するまでの期間（Ｓ５３０のＮＯ判定時）には、ステップＳ５２０が繰返し実行されて、入出力上限電力Ｗｉｎ（Ｓ），Ｗｏｕｔ（Ｓ）は、一定レートで徐々に上昇する。【０１１８】
入出力上限電力Ｗｉｎ（Ｓ），Ｗｏｕｔ（Ｓ）の復帰が完了すると（Ｓ５３０のＹＥＳ判定時）、制御装置３０は、ステップＳ５４０により、ＩＤを再び０に戻す。これにより、電源システムにおいては、主蓄電装置ＢＡおよび新たな選択副蓄電装置ＢＢによる正常な電力供給および電力回収が可能な状態が再現される。【０１１９】
さらに、制御装置３０は、ステップＳ５５０に処理を進めて、ステップＳ２１０（図６）で発生した昇圧指令をオフする。これにより、給電ラインＰＬ２の電圧指令値についても、モータジェネレータＭＧ１，ＭＧ２の状態に応じて設定される通常値となる。【０１２０】
制御装置３０は、一連の切換処理が完了すると、さらに、ステップＳ５６０により、車両走行中に選択副蓄電装置のさらなる切換の可能性があるかどうかを判定してもよい。そして、さらなる切換の可能性が無いときには、制御装置３０は、ステップＳ５７０により、ＩＤ＝−１に設定する。ＩＤ＝−１となると、図４の各ステップＳ１００〜Ｓ５００は実質的に非実行とされるので、車両運転が終了するまで、選択副蓄電装置の切換処理は開始されないことになる。【０１２１】
一方、さらなる切換の可能性が有るときには、制御装置３０は、ステップＳ５７０をスキップして、ＩＤ＝０に維持する。この結果、所定周期でステップＳ１００の切換判定処理が実行されることになるので、必要に応じて、選択副蓄電装置の切換処理が再び開始されることになる。【０１２２】
なお、副蓄電装置が２個しか搭載されていない図１の構成例では、ステップＳ５６０の処理を省略して、選択副蓄電装置の切換処理が一旦完了したときには常にＩＤ＝−１として、車両運転中の選択副蓄電装置の切換処理を１回のみに限定することもできる。【０１２３】
あるいは、３個以上の副蓄電装置を搭載した電源システムや、車両運転中に非使用中の副蓄電装置を充電可能な構成を有した電源システムでは、状況に応じてＩＤ＝０に維持することによって、２回目以降の選択副蓄電装置の切換処理を実行可能な構成とすることができる。【０１２４】
図１１には、図５〜図１０で説明した本発明の実施の形態によるハイブリッド車両の電源システムにおける選択副蓄電装置の切換処理における動作波形が示される。【０１２５】
図１１を参照して、ＩＤ＝０である時刻ｔ１までの期間には、現在の選択副蓄電装置（たとえば、バッテリＢＢ１）のＳＯＣに基づく、切換判定処理が所定周期で実行されている。【０１２６】
そして、時刻ｔ１において、バッテリＢＢ１のＳＯＣ低下に応答して、切換判定処理（ステップＳ１００）によって選択副蓄電装置ＢＢの切換要求が発せられ、ＩＤ＝１に設定されることによって切換処理が開始される。【０１２７】
これにより、切換前昇圧処理（ステップＳ２００）が実行されて、コンバータ１２Ａによって給電ラインＰＬ２の電圧ＶＨが所定電圧Ｖ１に向けて上昇させられる。給電ラインＰＬ２の昇圧処理が時刻ｔ２で完了すると、ＩＤは１から２に変更される。【０１２８】
ＩＤ＝２となると、電力制限変更処理（Ｓ３００）が実行されて、主蓄電装置ＢＡの充放電が一時的に緩和される。すなわち、入出力上限電力Ｗｉｎ（Ｍ），Ｗｏｕｔ（Ｍ）の絶対値の一時的な上昇が開始される。さらに、選択副蓄電装置ＢＢの入出力上限電力Ｗｉｎ（Ｓ），Ｗｏｕｔ（Ｓ）が０に向けて一定レートで徐々に低下される。なお、この期間では、コンバータ１２Ｂは、現在の選択副蓄電装置（バッテリＢＢ１）の充放電を停止するように制御される。あるいは、コンバータ１２Ｂは、時刻ｔ１からシャットダウンしてもよい。【０１２９】
時刻ｔ３において、選択副蓄電装置ＢＢの入出力上限電力Ｗｉｎ（Ｓ），Ｗｏｕｔ（Ｓ）が０まで絞られると、ＩＤが２から３に変更される。そしてＩＤ＝３になると、副蓄電装置の接続切換処理が開始される。すなわち、コンバータ１２Ａがシャットダウンされた状態で、リレーＳＲ１，ＳＲ１Ｇがオフされ、その後、リレーＳＲ２，ＳＲ２Ｇがオンされる。そして、リレーの接続切換処理が完了して、新たな選択副蓄電装置としてのバッテリＢＢ２がコンバータ１２Ｂと接続されると、コンバータ１２Ｂが再び起動される。これらの接続切換処理が完了することにより、時刻ｔ４においてＩＤが３から４に変更される。【０１３０】
ＩＤ＝４になると、選択副蓄電装置ＢＢの入出力上限電力Ｗｉｎ（Ｓ），Ｗｏｕｔ（Ｓ）が一定レートで徐々に上昇されることにより、新たな選択副蓄電装置であるバッテリＢＢ２の使用が開始される。これに伴い、主蓄電装置ＢＡの充放電制限の一時的な緩和は終了されて、Ｗｏｕｔ（Ｍ），Ｗｉｎ（Ｍ）は、基本的には時刻ｔ２以前の値に戻される。【０１３１】
そして、時刻ｔ５において、選択副蓄電装置ＢＢのＷｉｎ（Ｓ），Ｗｏｕｔ（Ｓ）が、バッテリＢＢ２のＷｏｕｔ，Ｗｉｎに相当する本来値まで復帰すると、ＩＤ＝０に復帰される。そして、給電ラインＰＬ２の昇圧処理も停止される。【０１３２】
これにより、一連の選択副蓄電装置の切換処理は終了して、選択副蓄電装置ＢＢ（バッテリＢＢ２）を用いた正常な電力供給および電力回収が可能な状態が再現される。【０１３３】
なお、時刻ｔ５において、図１０で説明したように、車両運転中のさらなる副蓄電装置の切換処理の可能性を判定し、切換処理が発生する可能性が無い場合にはＩＤ＝−１とすれば、以降の制御装置３０の負荷を軽減することができる。【０１３４】
さらに、後述するエンジン始動／停止制限のために、選択副蓄電装置ＢＢの切換処理中におけるエンジン停止処理またはエンジン始動処理を禁止するためのフラグＲＱＥＳが、ＩＤ＝１〜４の期間にオンされる。【０１３５】
次に、図１２および図１３により、本発明の実施の形態によるハイブリッド車両におけるこれにより、エンジン４の始動処理および停止処理の新たな実行（開始）が許可される。のための制御処理を説明する。【０１３６】
図１２を参照して、制御装置３０は、ステップＳ７００では、変数ＩＤに基づいて、副蓄電装置の切換処理中であるか否かを判定する。具体的には、制御装置３０は、ＩＤ＝１〜４のとき（Ｓ７００のＹＥＳ判定時）には、ステップＳ７１０に処理を進めて、フラグＲＱＥＳをオンする。これにより、エンジン４の始動処理および停止処理の新たな実行（開始）が禁止される。一方、ＩＤ＝１〜４でないとき（Ｓ７００のＮＯ判定時）、代表的にはＩＤ＝０であるときには、制御装置３０は、ステップＳ７２０により、フラグＲＱＥＳをオフする。これにより、エンジン４の始動処理および停止処理の新たな実行（開始）が許可される。【０１３７】
図１３には、フラグＲＱＥＳに従うエンジン始動／停止制限を説明するフローチャートが示される。【０１３８】
図１３を参照して、制御装置３０は、ステップＳ８００により、エンジン停止要求または始動要求の有無を判定する。上述のように、エンジン停止要求および始動要求は、電源システム全体での入出力上限電力とトータル要求パワーＰｔｔｌとの比較に基づいて、あるいは、部品保護の目的、たとえば、エンジン４またはモータジェネレータＭＧ１の回転速度が過上昇したときにそれを抑制する目的で発生される。【０１３９】
制御装置３０は、エンジン４の停止要求または始動要求の発生時（Ｓ８００のＹＥＳ判定時）には、ステップＳ８１０に処理を進めて、エンジン４の始動要求または停止要求が部品保護のためものかどうかを判定する。【０１４０】
そして、部品保護のための停止要求あるいは始動要求ではないとき（Ｓ８１０のＮＯ判定時）には、制御装置３０は、さらにステップＳ８２０により、フラグＲＱＥＳに基づいて、エンジンの始動／停止処理を許可および禁止のいずれとするかを判定する。具体的には、フラグＲＱＥＳがオンのとき（Ｓ８２０のＹＥＳ判定時）、すなわち、副蓄電装置の切換処理中には、ステップＳ８３０により、エンジン４の始動／停止処理は禁止される。この場合には、エンジン４の始動要求または停止要求が発生されても、走行制御部２５０（図４）による、エンジン始動指令または停止指令の発生は、副蓄電装置の切換処理の終了によりフラグＲＱＥＳがオフされるまで待機される。【０１４１】
一方、フラグＲＱＥＳがオフのとき（Ｓ８２０のＮＯ判定時）には、制御装置３０は、ステップＳ８４０に処理を進めて、エンジン停止要求またはエンジン始動要求に応答してエンジン４の始動処理またはエンジンの停止処理の開始を許可する。【０１４２】
これに対して、エンジン停止要求またはエンジン始動要求が部品保護のために発生されたとき（Ｓ８１０のＹＥＳ判定時）には、制御装置３０は、フラグＲＱＥＳにかかわらず、すなわち副蓄電装置の切換処理中であっても、ステップＳ８４０に処理を進めて、エンジン始動処理およびエンジン停止処理を許可する。すなわち、部品保護のためのエンジン停止要求またはエンジン始動要求については、優先的に許可される。【０１４３】
図１４は、本発明の実施の形態のハイブリッド車両の制御構成のうちの、選択副蓄電装置の切換処理およびエンジンの始動／停止制限のための機能部分を説明する機能ブロック図である。図１４に示された各機能ブロックは、制御装置３０による、所定プログラムの実行によるソフトウェア処理、あるいは、専用の電子回路（ハードウェア処理）によって実現される。【０１４４】
図１２を参照して、切換判定部１００は、バッテリＢＢ１，ＢＢ２の充電状態を示すＳＯＣ（ＢＢ１），ＳＯＣ（ＢＢ２）を受けて、現在使用中の選択副蓄電装置ＢＢのＳＯＣが所定の判定値より低下したかどうかを判定する。切換判定部１００は、各機能ブロック間で共有される変数ＩＤが０のときに、所定周期で上記判定処理を実行し、選択副蓄電装置の切換が必要になると、ＩＤを０から１に変化させる。これにより、選択副蓄電装置の切換要求が発生される。すなわち、切換判定部１００の機能は、図５のステップＳ１１０の処理に対応する。【０１４５】
バッテリ切換禁止部２１０は、エンジン停止処理中であることを示すフラグＳＴＰＥＧおよびエンジン始動処理中であることを示すフラグＳＴＲＥＧに基づいて、エンジン始動処理中およびエンジン停止処理中においては、切換判定部１００に対して、切換要求の発生を禁止するためのフラグＦＩＮＨを出力する。具体的には、フラグＳＴＲＥＧ，ＳＴＰＥＧのいずれかがオンされているときに禁止フラグＦＩＮＨをオンする一方で、フラグＳＴＲＥＧ，ＳＴＰＥＧの両方がオフされているときには禁止フラグＦＩＮＨをオフする。【０１４６】
切換判定部１００は、禁止フラグＦＩＮＨのオン時には、選択副蓄電装置ＢＢのＳＯＣにかかわらず、ＩＤ＝０に維持する。すなわち、バッテリ切換禁止部２１０の機能は、図６のステップＳ１２０の処理に対応する。【０１４７】
昇圧指示部１１０は、選択副蓄電装置の切換要求が発生されてＩＤ＝１になると、コンバータ１２Ａを制御するコンバータ制御部２００に対して、昇圧指令信号ＣＭＢＴを出力する。【０１４８】
コンバータ制御部２００は、電圧ＶＨ，ＶＬＡおよび電圧指令値ＶＨｒｅｆに基づいて、給電ラインＰＬ２の電圧ＶＨが電圧指令値ＶＨｒｅｆとなるように、コンバータ１２Ａの制御信号ＰＷＵＡ，ＰＷＤＡを生成する。【０１４９】
さらに、コンバータ制御部２００は、昇圧指示部１１０から昇圧指令信号ＣＭＢＴが生成された場合には、電圧指令値ＶＨｒｅｆ＝Ｖ１に設定して制御信号ＰＷＵＡを生成する。そして、コンバータ制御部２００は、電圧センサ１３によって検出される電圧ＶＨが所定電圧Ｖ１に達した状態が所定時間以上継続すると、昇圧完了を示すフラグＦＢＴをオンする。【０１５０】
昇圧指示部１１０は、フラグＦＢＴがオンされると、ＩＤ＝２に変更する。そして、後述する接続切換制御部１４０によるリレー接続切換が完了することによってＩＤ＝４に設定されるまで、昇圧指令信号ＣＭＢＴの出力を継続する。すなわち、昇圧指示部１１０の機能は、図５のステップＳ２００および図１０のステップＳ５５０の処理に対応する。【０１５１】
電力制限部１２０は、選択副蓄電装置ＢＢの入出力上限電力Ｗｉｎ（Ｓ），Ｗｏｕｔ（Ｓ）を設定する。通常時には、入出力上限電力Ｗｉｎ（Ｓ），Ｗｏｕｔ（Ｓ）は、選択副蓄電装置ＢＢとされたバッテリのＳＯＣ（ＳＯＣ（ＢＢ１）またはＳＯＣ（ＢＢ２））、電池温度（ＴＢＢ１またはＴＢＢ２）、出力電圧（ＶＢ１またはＶＢ２）に基づいて設定される。【０１５２】
これに対して、選択副蓄電装置の切換処理時には、電力制限部１２０は、ＩＤ＝２となると、入出力上限電力Ｗｉｎ（Ｓ），Ｗｏｕｔ（Ｓ）を、一定レートで徐々に０に向けて低下させるとともに、Ｗｉｎ（Ｓ），Ｗｏｕｔ（Ｓ）が０に達すると、ＩＤを２から３に変化させる。さらに、接続切換制御部１４０によってＩＤ＝４に設定されると、電力制限部１２０は、入出力上限電力Ｗｉｎ（Ｓ），Ｗｏｕｔ（Ｓ）を、切換後の新たな選択副蓄電装置ＢＢのＷｉｎ，Ｗｉｎに相当する値まで上昇させる。そして上昇処理が完了するとＩＤを４から０に変化させる。【０１５３】
すなわち、電力制限部１２０によって、図８のステップＳ３２０〜Ｓ３４０の処理および図１０のステップＳ５２０〜Ｓ５４０の処理、ならびに、本発明の「第１の電力制限部」および「第２の電力制限部」の機能が実現される。【０１５４】
電力制限部１３０は、主蓄電装置ＢＡの入出力上限電力Ｗｉｎ（Ｍ）およびＷｏｕｔ（Ｍ）を設定する。通常時には、入出力上限電力Ｗｉｎ（Ｍ），Ｗｏｕｔ（Ｍ）は、主蓄電装置ＢＡのＳＯＣ（ＢＡ）、電池温度ＴＡ、出力電圧ＶＡに基づいて設定される。【０１５５】
これに対して、選択副蓄電装置の切換処理時には、電力制限部１３０は、ＩＤ＝２に設定されると、入出力上限電力Ｗｉｎ（Ｍ）およびＷｏｕｔ（Ｍ）の絶対値を一時的に上昇させることにより、主蓄電装置ＢＡの充放電制限を一時的に緩和する。そして、電力制限部１３０は、接続切換制御部１４０によってＩＤ＝４に設定されると、入出力上限電力Ｗｉｎ（Ｍ）およびＷｏｕｔ（Ｍ）を通常の値に復帰させる。【０１５６】
すなわち、電力制限部１３０によって、図８のステップＳ３１０および図１０のステップＳ５１０の処理、ならびに、本発明の「第３の電力制限部」の機能が実現される。【０１５７】
接続切換制御部１４０は、電力制限部１２０によってＩＤ＝３に設定されると、コンバータ１２Ｂのシャットダウン指令を生成し、さらに、コンバータ１２Ｂおよび副蓄電装置ＢＢ１，ＢＢ２の間の接続を切換えるように、リレー制御信号ＣＯＮＴ４〜ＣＯＮＴ７を生成する。たとえば、選択副蓄電装置ＢＢをバッテリＢＢ１からバッテリＢＢ２に切換える際には、リレーＳＲ１，ＳＲ１Ｇをターンオフする一方でリレーＳＲ２，ＳＲ２Ｇをターンオンするように、リレー制御信号ＣＯＮＴ４〜ＣＯＮＴ７が生成される。そして、このリレー接続切換処理が完了すると、上記シャットダウン指令を停止してコンバータ１２Ｂを再起動するとともに、ＩＤを３から４に変化させる。【０１５８】
接続切換制御部１４０は、図５のステップＳ４００（図９のＳ４０５〜Ｓ４５０）の処理に対応する。【０１５９】
エンジン始動／停止禁止要求発生部２０５は、ＩＤ＝１〜４のときに、フラグＲＱＥＳをオンし、それ以外のときにフラグＲＱＥＳをオフする。すなわち、エンジン始動／停止禁止要求発生部２０５の機能は、図１２のステップＳ７００〜Ｓ７２０の処理に対応する。【０１６０】
保護制御部２１５は、動力分割機構３に連結された回転要素（たとえばモータジェネレータＭＧ１，エンジン４等）の回転速度に基づいて、部品保護のためのエンジン始動／停止要求（図示せず）を発生するとともに、部品保護のためのエンジン始動／停止要求であることを示すフラグＰＲＴをオンする。【０１６１】
すなわち、図１３のステップＳ８１０〜Ｓ８４０による処理は、走行制御部２５０（図４）により、フラグＰＲＴ，ＲＱＥＳに基づいて実行することができる。【０１６２】
以上説明したように、本発明の実施の形態によるハイブリッド車両およびその制御方法によれば、副蓄電装置の接続切換処理中における、内燃機関の始動処理および停止処の実行を禁止するとともに、内燃機関の始動処理または停止処理の実行中における副蓄電装置の接続切換処理の実行を禁止できる。したがって、副蓄電装置の接続切換処理中に、エンジンの始動・停止処理による電力入出力に起因して、出力可能な車両駆動パワーが変動することを回避できるので、当該接続切換処理が車両運転性（ドライバビリティ）に悪影響を与えることを防止できる。【０１６３】
また、選択副蓄電装置の切換処理中には、選択副蓄電装置ＢＢの入出力上限電力Ｗｉｎ（Ｓ），Ｗｏｕｔ（Ｓ）を適切に制限するので、電源システムに対して、過度の充放電が要求されることを回避できる。この結果、複数の副蓄電装置を１つの電圧変換器（コンバータ）によって共有する構成の電源システムにおいて、選択副蓄電装置の切換えの際の副蓄電装置の接続切換処理を適切かつ円滑に実行することが可能となる。【０１６４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【図１】
2010050039.tif 000003
【図２】
2010050039.tif 000004
【図３】
2010050039.tif 000005
【図４】
2010050039.tif 000006
【図５】
2010050039.tif 000007
【図６】
2010050039.tif 000008
【図７】
2010050039.tif 000009
【図８】
2010050039.tif 000010
【図９】
2010050039.tif 000011
【図１０】
2010050039.tif 000012
【図１１】
2010050039.tif 000013
【図１２】
2010050039.tif 000014
【図１３】
2010050039.tif 000015
【図１４】
2010050039.tif 000016
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
車両駆動パワーを発生するモータ（ＭＧ２）と、
前記モータとは独立に車両駆動パワーを出力可能に構成された内燃機関（４）と、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）と、
ハイブリッド車両の全体要求パワー（Ｐｔｔｌ）を、前記モータの出力パワーと、前記内燃機関の出力パワーとに分配する走行制御部（２５０）とを備え、
前記走行制御部は、前記複数の副蓄電装置と前記第２の電圧変換器との間の接続切換処理中には、停止状態の前記内燃機関の始動処理および作動状態の前記内燃機関の停止処理を禁止する、ハイブリッド車両。
【請求項２】
前記内燃機関（４）の出力変化により回転速度が変化される回転要素（ＭＧ１）と、
前記回転要素の過回転を抑制するために前記内燃機関の始動要求および停止要求の一方を生成する保護制御部（２１５）とをさらに備え、
前記走行制御部（２５０）は、前記保護制御部によって前記始動要求または前記停止要求が生成されたときには、前記接続切換処理中であるか否かにかかわらず前記内燃機関の前記始動処理または前記停止処理を許可する、請求項１記載のハイブリッド車両。
【請求項３】
前記切換制御装置（３０）は、
使用中の前記選択副蓄電装置の残存容量（ＳＯＣ）の充電状態に基づいて、前記選択副蓄電装置の切換要求の発生要否を判定するように構成された切換判定部（１００）と、
前記内燃機関が前記始動処理中または前記停止処理中であるときに、前記切換要求を発生しないように前記切換判定部に指示するように構成された切換禁止部（２１０）とを含む、請求項１記載のハイブリッド車両。
【請求項４】
車両駆動パワーを発生するモータ（ＭＧ２）および前記モータとは独立に車両駆動パワーを出力可能に構成された内燃機関（４）を搭載したハイブリッド車両（１）であって、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）とを備え、
前記切換制御装置は、
使用中の前記選択副蓄電装置の残存容量（ＳＯＣ）の充電状態に基づいて、前記選択副蓄電装置の切換要求の発生要否を判定する切換判定部（１００）と、
前記内燃機関が始動処理中または停止処理中であるときに、前記選択副蓄電装置の切換要求を発生しないように前記切換判定部に指示する切換禁止部（２１０）とを含む、ハイブリッド車両。
【請求項５】
前記切換制御装置は、
前記切換要求が発生されたときに、前記給電ラインの電圧（ＶＨ）を、前記主蓄電装置の出力電圧および切換後に前記第２の電圧変換器と接続される副蓄電装置の出力電圧よりも高い第１の電圧（Ｖ１）とするように前記第１の電圧変換器に指示するように構成された昇圧指示部（１１０）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるように構成された第１の電力制限部（１２０）と、
前記第１の電力制限部によって前記入出力電力上限値が零に設定されたときに、前記複数の副蓄電装置および前記第２の電圧変換器の間の接続を切換えるように構成された接続切換制御部（１４０）と、
前記接続切換制御部により複数の副蓄電装置および前記第２の電圧変換器の間の接続が切換えられた後に、前記第２の電圧変換器と新たに接続された副蓄電装置の充電状態に対応する値まで、前記入出力電力上限値を徐々に上昇させるように構成された第２の電力制限部（１２０）とをさらに含む、請求項３または４に記載のハイブリッド車両。
【請求項６】
ハイブリッド車両の制御方法であって、
前記ハイブリッド車両は、
車両駆動パワーを発生するモータ（ＭＧ２）と、
前記モータとは独立に車両駆動パワーを出力可能に構成された内燃機関（４）と、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択された副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）と、
前記ハイブリッド車両の全体要求パワー（Ｐｔｔｌ）を、前記モータの出力パワーと、前記内燃機関の出力パワーとに分配する走行制御部（２５０）とを備え、
前記制御方法は、
前記複数の副蓄電装置と前記第２の電圧変換器との間の接続切換処理中であるか否かを判定するステップ（Ｓ７００）と、
前記接続切換処理中において、停止状態の前記内燃機関の始動処理および作動状態の前記内燃機関の停止処理を禁止するステップ（Ｓ８２０）とを備える、ハイブリッド車両の制御方法。
【請求項７】
前記ハイブリッド車両は、
前記内燃機関（４）の出力変化により回転速度が変化される回転要素（ＭＧ１）と、
前記回転要素の過回転を抑制するために前記内燃機関の始動要求および停止要求の一方を生成する保護制御部（２１５）とをさらに備え、
前記制御方法は、
前記保護制御部によって前記始動要求または前記停止要求が生成されたときには、前記接続切換処理中であるか否かにかかわらず前記内燃機関の前記始動処理または前記停止処理を許可するステップ（Ｓ８１０）をさらに備える、請求項６記載のハイブリッド車両の制御方法。
【請求項８】
使用中の選択副蓄電装置の残存容量（ＳＯＣ）の充電状態に基づいて、前記選択副蓄電装置の切換要求の発生要否を判定するステップ（Ｓ１１０）と、
前記内燃機関が前記始動処理中または前記停止処理中であるときに、前記選択副蓄電装置の充電状態にかかわらず前記切換要求を発生しないように指示するステップ（Ｓ１２０）とをさらに備える、請求項６記載のハイブリッド車両の制御方法。
【請求項９】
ハイブリッド車両の制御方法であって、
前記ハイブリッド車両は、
車両駆動パワーを発生するモータ（ＭＧ２）と、
前記モータとは独立に車両駆動パワーを出力可能に構成された内燃機関（４）と、
主蓄電装置（ＢＡ）と、
前記モータを駆動制御するインバータ（２２）に給電を行う給電ライン（ＰＬ２）と、
前記給電ラインと前記主蓄電装置との間に設けられ、双方向の電圧変換を行うように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行うように構成された第２の電圧変換器（１２Ｂ）と、
前記複数の副蓄電装置と前記第２の電圧変換器との間に設けられ、前記複数の副蓄電装置のうちの選択された副蓄電装置（ＢＢ）を選択的に前記第２の電圧変換器と接続するように構成された接続部（３９Ｂ）と、
前記複数の副蓄電装置と前記第２の電圧変換器との間の選択的な接続を制御するように構成された切換制御装置（３０）とを備え、
前記制御方法は、
使用中の選択副蓄電装置の残存容量（ＳＯＣ）の充電状態に基づいて、前記選択副蓄電装置の切換要求の発生要否を判定するステップ（Ｓ１１０）と、
前記内燃機関が始動処理中または停止処理中であるときに、前記選択副蓄電装置の充電状態にかかわらず前記切換要求を発生しないように指示するステップ（Ｓ１２０）とを備える、ハイブリッド車両の制御方法。
【請求項１０】
前記切換要求が発生されたときに、前記給電ラインの電圧（ＶＨ）を、前記主蓄電装置の出力電圧および切換後に前記第２の電圧変換器と接続される副蓄電装置の出力電圧よりも高い第１の電圧（Ｖ１）とするように前記第１の電圧変換器に指示するステップ（Ｓ２００）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるステップ（Ｓ３２０〜Ｓ３４０）と、
前記減少させるステップによって前記入出力電力上限値が零に設定されたときに、前記複数の副蓄電装置と前記第２の電圧変換器との間の接続を切換えるステップ（Ｓ４００）と、
前記切換えるステップにより複数の副蓄電装置と前記第２の電圧変換器との間の接続が切換えられた後に、前記第２の電圧変換器と新たに接続された副蓄電装置の充電状態に対応する値まで、前記入出力電力上限値を徐々に上昇させるステップ（Ｓ５２０〜Ｓ５４０）とをさらに備える、請求項８または９に記載のハイブリッド車両の制御方法。
【国際調査報告】
2010050039.tif 000017
2010050039.tif 000018
2010050039.tif 000019
2010050039.tif 000020